(57)【特許請求の範囲】
【請求項１】
水草を刈り取って船上に引き上げる水草取込部と、該水草取込部から落下する水草を搬送する搬送部と、搬送された水草を貯留する貯留部と、前記搬送部に配置され、搬送途中の水草を圧縮する圧縮手段とを備えた水草刈取機において、前記圧縮手段と前記貯留部との間に前記圧縮手段により圧縮された水草を裁断するカッターを備えていることを特徴とする水草刈取機。
【発明の詳細な説明】
【０００１】
【産業上の利用分野】
本発明は、例えば湖や池などに自生する水草を刈取って除去する水草刈取機に関する。
【０００２】
【従来の技術】
従来、水草を刈り取って船上に引き上げる水草取込部と、この水草取込部から落下する水草を受け取って貯留部に搬送する搬送部とを台船上に装備させ、台船を運転しながら水草の刈取作業を行う技術がある。
【０００３】
【発明が解決しようとする課題】
しかし、水草は、蔦状の茎等から成っていて嵩高く、又、多量の水分を含むため重く、台船上に一度に貯留できる水草の量が限られ、頻繁に水草を他の船や岸に排出する必要が生じ、作業性が悪い問題がある。
【０００４】
本発明の目的は、水草を嵩低くできると共に軽量にでき、台船上に貯留できる水草量を増大でき、作業性を向上できる水草刈取機を提供する点にある。
【０００５】
【課題を解決するための手段】
そこで、上記目的を達成するため、図１に示すように、水草を刈り取って船上に引き上げる水草取込部と、該水草取込部から落下する水草を搬送する搬送部と、搬送された水草を貯留する貯留部と、前記搬送部に配置され、搬送途中の水草を圧縮する圧縮手段とを備えた水草刈取機において、前記圧縮手段と前記貯留部との間に前記圧縮手段により圧縮された水草を裁断するカッターを備えていることを特徴とする。
【０００６】
【作用】
水草取込部からバラバラの状態で落下する嵩高で水分を多く含む水草は、圧縮手段により、搬送部での搬送途中において圧縮され、その厚みが薄くなると共に水が切られる。こうして、厚みが薄く軽量となった水草が、貯留部側に送り出されるから、該貯留部で貯留できる水草量すなわち台船上に一度に貯留できる水草量を増大することができる。
【０００７】
【実施例】
図１及び図２において、１は平面視略Ｈ字形の台船であり、左右一対のパドル１１，１１、船底後方のスクリュー１２、運転台１３、運転席１４、上下折畳み自在な日除け兼雨除け１５、操作コラム１６、エンジンや油圧ポンプ等を収容する機械室１７、左右一対の前部フロート１８，１８及び後部フロート１９，１９を備えている。パドルカバー１１ａの後部には扉１１ｂを備え、台船１の推進時及び水草の刈取作業時に扉１１ｂを開放し、推力を増すようにしている。後部フロート１９の底部は喫水線近くに位置させており、通常は水面上にあり、水草が溜ったとき、その重量で後部が沈む時、作用するようにしている。
【０００８】
台船１の前部には、水草を刈り取って船上に引き上げる水草取込部２を設けている。この水草取込部２は、台船１上の受台２１ａに油圧シリンダ２１ｂを介して昇降自由に支持し、略三角形の側面に水抜き網２１ｃを設けた左右一対のブーム２１，２１、これらブーム２１，２１の下辺間に設ける多くの孔があいたエンドレスベルト式の取込コンベア２２、各ブーム２１，２１の前部に垂直に設ける左右一対の垂直刈刃２３，２３、前部底部に水平に設ける水平刈刃２４、取込コンベア２２の上部に配置し、アーム２５ａを介して上下及び前後に移動自由な水草の掻込リール２５、水底を感知するセンサー２６を備えている。
【０００９】
台船１の中央部には、水草取込部２から落下する水草を受け取って後方に搬送する搬送部４を設けている。この搬送部４は、取込コンベア２２と同様に多くの孔があいたエンドレスベルト式の搬送コンベア４１から成り、前方側を、水草取込部２の取込コンベア２２の下方にオーバーラップさせており、後方側を、次記する貯留部３の前部コンベア３１ｂの前端近くに臨ませている。
【００１０】
台船１の後部には、搬送部４から搬送されてくる水草Ｗをロール状に巻回して貯留する貯留部３を設けている。この貯留部３は、左右一対の前部側板３１ａ，３１ａ及びその底部に配設する多くの孔があいたエンドレスベルト式の前部コンベア３１ｂをもつ前部可動ブロック３１、左右一対の後部側板３２ａ，３２ａ及びその底部に配設する同じく多くの孔があいたエンドレスベルト式の後部コンベア３２ｂをもつ後部可動ブロック３２、前部可動ブロック３１の上方に立設する網体３３ａをもった固定側壁３３，３３を備える。そして、図１に示す水草の刈取作業時は、油圧シリンダ３４により、前部ブロック３１を水平に、後部ブロック３２を垂直にし、各コンベア３１ｂ，３２ｂの駆動で水草をロール状に巻回するようにしている。３５は水草の巻回ガイドであり、台船の幅方向に複数のガイド片３５ａを配設している。
【００１１】
一方、図３に示す水草Ｗの運搬船Ｓへの排出作業時は、油圧シリンダ３４により、前記各可動ブロック３１，３２を直線上に並べて前低後高に傾斜させるのである。この傾斜状態への制御は、図４から図６に示す手順で行う。すなわち、先ず、図４に示す水平の前部可動ブロック３１に対し後部可動ブロック３２が垂直になつている状態から、油圧シリンダ３４のロッドを引き込むことにより、図５に示すように、一旦、後部可動ブロック３２を水平に寝かせる。続いて、更に油圧シリンダ３４のロッドを引き込むことにより、後部可動ブロック３２の前方に設けるブラケット３２ｃに前部可動ブロック３１の後方を保持させ、両ブロック３１，３２を直線上に並べて図６に示す傾斜位置に制御するのである。
【００１２】
尚、メンテナンスの際は、図３のように、ストッパー３６を起立させて各可動ブロック３１，３２の傾斜状態を保持させ、又、ストッパー３６の起立に連動して、スクリュー１２を油圧シリンダ１２ａによりユニバーサルジョイント部１２ｂで屈曲させて引き上げることができるようにしている。更に、パドルカバー１１ａの扉１１ｂを閉めることにより、後方に位置する運搬船Ｓへの水の跳ねかけが防止できるようにしている。この扉１１ｂの開閉は手動によるほか、ストッパー３６や各可動ブロック３１，３２の動きに連動させてもよい。
【００１３】
更に、上記各コンベア２２、４１、３１ｂ，３２ｂは、多くの孔があいたエンドレスベルトで構成されているが、その下方は、水抜き可能な開放構造となっている。
【００１４】
以上の構成で、搬送部４を構成する搬送コンベア４１の上部に、搬送途中の水草を圧縮して厚さの薄い水草を貯留部３側に送り出す圧縮手段５を設ける。この圧縮手段５は、油圧駆動する後方の駆動ローラ５１、該ローラ５１よりも支持位置を高くした前部ローラ５２及び中間部ローラ５３、これらローラ５１，５２，５３に巻装する無端式の圧縮ベルト５４を備え、搬送されてくる水草を順次段階的に圧縮して、その厚みを薄くし、平板状の水草を貯留部３側に送り出すようにしている。駆動ローラ５１は、油圧シリンダ５５により上下昇降自在に支持しており、水草の圧縮強さを任意に調節できるようにしている。圧縮ベルト５４は、通常の平ベルト式のものを用いてもよいし、搬送コンベア４１等と同様に多くの孔があいたエンドレスベルト式のものを用いてもよい。
【００１５】
又、圧縮手段５の後方で、搬送部４の搬送コンベア４１と貯留部３の前部コンベア３１ｂとの間に、円筒形を呈する上下一対のカッター６，６を設ける。このカッター６，６は、例えば、その円筒軸上に複数枚の円板形刃体を具備するものであり、圧縮手段５から送られてくる平板状の水草を幅方向に複数裁断するようにしている。
【００１６】
こうして、水草取込部２の前部に備える各刈刃２３，２４で水草を刈ると共に掻込リール２５で掻き込み、その水草を取込コンベア２２で台船１上に引き上げる。そして、水草取込部２からバラバラの状態で落下してくる嵩高で水分を多く含む水草は、搬送部４の搬送コンベア４１により搬送され、その搬送途中において圧縮手段５により圧縮され、その厚みが薄くなると共に、水が切られて軽量になる。引き続いて、平板状で軽量となった水草が、カッター６，６で幅方向に裁断された後に、貯留部３側に送り出され、該貯留部３に備える水平の前部可動ブロック３１と垂直の後部可動ブロック３２とによりロール状に巻回される。このとき、水草は、平板状となっているため、ロール形成が容易に行えると共に、密度の高いロールを形成でき、台船１上に貯留し得る水草量を大幅に増大することができ、又、ロールの巻回状態が型くずれしにくく、排出時の作業性が向上できる。しかも、圧縮手段５による圧縮の直後にカッター６，６で幅方向に複数にわたり裁断するから、ロールは軸方向に容易に分断することができ、排出時の作業性が一層向上できるのである。
【００１７】
図７及び図８は、貯留部３に具備するロールの巻回ガイド３５の別例を示し、固定側壁３３，３３間に軸３５ｂを介して長尺な弓形のガイド片３５ｃを複数個支持し、各ガイド片３５ｃの上部側を連結杆３５ｄに結合させると共に、この連結杆３５を、固定側壁３３，３３の上部に突設するガイド軸３５ｅ，３５ｅに摺動自由に挿嵌させ、常時はコイルスプリング３５ｆ，３５ｆで各ガイド片３５ｃの上端を下方に付勢し、ロールＷの成長に伴って各ガイド片３５ｃが動き得るようにしたものである。
【００１８】
図９は、運搬船Ｓの一例を示し、船体中央に、固定式の上部コンベア７１と、レール７２ａにローラ７２ｂを滑らせる可動式の下部コンベア７２とを２段に備え、岸辺Ｇへの水草ロールＷの排出時、下部ローラ７２を前方に引き出してストッパー７２ｃを立て、排出作業が容易に行えるようにしている。船体前方にはガイドローラ７３を設けており、下部ローラ７２の引き出しを容易にすると共に、図３で示した運搬船Ｓへの水草ロールの排出時、前方部がフリーとなる下部ローラ７２を支持するようにしている。又、船体前部にはエアフロート７４を、船体後部には注水式のバランスタンク７５を設けており、下部コンベア７２の引き出し時のバランスを取るようにしている。
【００１９】
【発明の効果】
以上、本発明によれば、水草取込部からバラバラの状態で落下する嵩高で水分を多く含む水草を、搬送部に設けた圧縮手段により、その厚みを薄く軽量とした上で、貯留部側に送り出すから、貯留部で貯留できる水草量を増大でき、台船上に貯留した水草を運搬船や岸などに排出する回数を減らせ、水草の除去作業性を向上することができる。しかも、圧縮手段により圧縮され、その厚みが薄くなるとともに、水が切られて平板状で軽量になった水草をカッターにより裁断するため、水草を裁断部分で容易に分断することができ、台船から運搬船、岸などへ排出するときの作業性を向上できる。
【図面の簡単な説明】
【図１】本発明にかかる水草刈取機の刈取作業時の側面図。
【図２】同図１におけるリール部分を省略した平面図。
【図３】同排出作業時の側面図。
【図４】同貯留部に具備する可動ブロックの第一作動態様を示す側面図。
【図５】同貯留部に具備する可動ブロックの第二作動態様を示す側面図。
【図６】同貯留部に具備する可動ブロックの第三作動態様を示す側面図。
【図７】同水草の貯留部の別例を示す要部側面図。
【図８】同図７における平面図。
【図９】同水草運搬船の側面図。
【符号の説明】
１；台船、２；水草取込部、３；貯留部、４；搬送部、５；圧縮手段
【図１】
0003559912.tif 000002
【図２】
0003559912.tif 000003
【図３】
0003559912.tif 000004
【図４】
0003559912.tif 000005
【図５】
0003559912.tif 000006
【図６】
0003559912.tif 000007
【図７】
0003559912.tif 000008
【図８】
0003559912.tif 000009
【図９】
0003559912.tif 000010